(57)【要約】【課題】写真フイルムが撮影レンズに対して正確に保持されたレンズ付きフイルムユニットを提供し、かつレンズ付きフイルムユニットの不正な再利用を防止する。【解決手段】本体基部１０に形成されたアパーチャ４２の周囲に押さえ板４０を支持する支持体４４、４７とが設けられている。本体基部１０のフイルムカートリッジ室３５とフイルムロール室３６とに写真フイルムカートリッジ７および写真フイルム８が収められ、その上から押さえ板４０が支持体４４、４７とに当接した状態で、アパーチャ４２の周囲に設けられた固着用突起４５、４６、４８、４９と固着される。また、本体基部１０のアパーチャ４１とフイルム室３６との間にパーフォレーション４２と係合する突起４３が形成されている。【選択図】        図２
2004177449.tif 000002
【特許請求の範囲】
【請求項１】
前側に撮影レンズを有し、後側に写真フイルムへの露光範囲を決めるアパーチャの両側にフイルム室とフイルムカートリッジ室とが設けられた本体基部と、前記本体基部の後側から被さる後カバーとを有するレンズ付きフイルムユニットにおいて、
前記フイルム室から前記フイルムカートリッジ室に給送される写真フイルムの背面と接する前面を有する押さえ部材を有し、前記押さえ部材と前記本体基部とを固着して写真フイルムが通るフイルム通路を形成したことを特徴とするレンズ付きフイルムユニット。
【請求項２】
前記本体基部と前記押さえ部材とによって形成された前記フイルム通路の入口とフイルム通路の出口との間、フイルム通路の入口とフイルム室との間、フイルム通路の出口とフイルムカートリッジ室との間のいずれかであって、写真フイルムのパーフォレーションと対面する位置に、フイルムの巻上げ方向では高さが漸増してパーフォレーションの通過を許容し、かつ逆方向では急峻に立ち上がってパーフォレーションに係合する突起を形成したことを特徴とする請求項１記載のレンズ付きフイルムユニット。
【請求項３】
前側に撮影レンズを有し、後側に写真フイルムへの露光範囲を決めるアパーチャの両側にフイルム室とフイルムカートリッジ室とが設けられた本体基部と、前記本体基部の後側から被さる後カバーとを有するレンズ付きフイルムユニットの製造方法において、
前記本体基部に前記写真フイルムを装填した後、前記写真フイルムの背面と接する前面を有する押さえ部材を前記本体基部に固着し、前記後カバーを前記本体基部の後側から被せたことを特徴とするレンズ付きフイルムユニットの製造方法。
【発明の詳細な説明】
【０００１】
【発明の属する技術分野】
本発明は、フイルム通路を形成する押さえ部材を備えたレンズ付きフイルムユニット及びその製造方法に関するものである。
【０００２】
【従来の技術】
あらかじめ写真フイルムが装填され、簡単な撮影機構を備えたレンズ付きフイルムユニットが各種販売されている。使用済みのレンズ付きフイルムユニットは製造メーカによって回収され、構成部品ごとにリユース、あるいはリサイクルされている。レンズ付きフイルムユニットはリサイクル時に分解されやすいように簡便な構造となっている。ストロボ装置と写真フイルムとが本体基部に装着され、前カバーと後カバーとが本体基部に設けられた爪に係合して固定されるようになっている。本体基部の前面に撮影レンズが備えられ、写真フイルムまでは光密に維持されている。
【０００３】
写真フイルムは、本体基部と後カバーとの間に設けられたフイルム通路を通り、撮影に応じて１コマ巻き上げされる。後カバーのアパーチャと対面する部分はフイルム通路より送られてくる写真フイルムを支持するために、本体基部に合わせて盛り上がった形状をしている。このため写真フイルムはアパーチャにおいて露出されることが可能となっている。
【０００４】
一方、メーカ以外の業者が使用済みのレンズ付きフイルムユニットを回収し、未露光の写真フイルムを再装填し不正規に販売している。不正規な詰め替え製品に発生する問題は、正規のメーカが製造するレンズ付きフイルムユニットそのものに対する信頼性を著しく損なわせる。そこで従来のレンズ付きフイルムユニットでは、メーカ以外の業者による不正な再利用を防止するための工夫が各種なされている（特許文献１参照）。この特許文献１に記載のレンズ付きフイルムユニットでは、レンズ付きフイルムユニットを分解したときに、フイルム巻上げノブの逆転操作を禁止する逆転防止爪を破壊する構造が設けれている。このため、後カバーに一体成形した係合爪を背面側から逆転防止爪に係合させ、常態では逆転防止爪を正常に動作させながらも、後カバーを無理に取りはずしたときには、係合爪で逆転防止爪を引っ張って逆転防止爪を塑性変形あるいは破損させるようにしている。
【０００５】
【特許文献１】
特開平７−１２０８８３号公報
【０００６】
【発明が解決しようとする課題】
しかしながら、上記のようなレンズ付きフイルムユニットでは、後カバーの形成不良による写真フイルムの歪みや、本体基部の爪でカバーを係止するために発生するガタによって、写真フイルムを撮影レンズに対して正確に保持することが不可能となる。このため解像力の高い撮影レンズをレンズ付きフイルムユニットに備えることができない。また、レンズ付きフイルムユニットの不正な利用の防止も十分ではない。
【０００７】
本発明は、上記事情を考慮してなされたものであり、その目的は１コマ巻き上げによってアパーチャに露出される写真フイルムが、撮影開始から撮影終了まで一定であり、撮影レンズに対して正確に保持されるレンズ付きフイルムユニットを提供するとともに、レンズ付きフイルムユニットの不正な再利用を防止することにある。
【０００８】
【課題を解決するための手段】
上記目的を達成するために、請求項１記載の発明では、前側に撮影レンズを有し、後側に写真フイルムへの露光範囲を決めるアパーチャの両側にフイルム室とフイルムカートリッジ室とが設けられた本体基部と、前記本体基部の後側から被さる後カバーとを有するレンズ付きフイルムユニットにおいて、前記フイルム室から前記フイルムカートリッジ室に給送される写真フイルムの背面と接する前面を有する押さえ部材を有し、前記押さえ部材と前記本体基部とを固着して前記写真フイルムが通るフイルム通路を形成するようにしたものである。
【０００９】
請求項２記載の発明では、本体基部と前記押さえ部材とによって形成された前記フイルム通路の入口とフイルム通路の出口との間、フイルム通路の入口とフイルム室との間、フイルム通路の出口とフイルムカートリッジ室との間のいずれかであって、写真フイルムのパーフォレーションと対面する位置に、フイルムの巻上げ方向では高さが漸増してパーフォレーションの通過を許容し、かつ逆方向では急峻に立ち上がってパーフォレーションに係合する突起を形成したものである。
【００１０】
本発明のレンズ付きフイルムユニットの製造方法は、前側に撮影レンズを有し、後側に写真フイルムへの露光範囲を決めるアパーチャの両側にフイルム室とフイルムカートリッジ室とが設けられた本体基部と、前記本体基部の後側から被さる後カバーとを有するレンズ付きフイルムユニットの製造方法において、前記本体基部に前記写真フイルムを装填した後、前記写真フイルムの背面と接する前面と、前記後カバーに保持される後面とを有する押さえ部材を前記本体基部に固着し、前記後カバーを前記本体基部の後側から被せたことを特徴とする。
【００１１】
【発明の実施の形態】
本発明を実施したレンズ付きフイルムユニットの分解斜視図を図１に示す。レンズ付きフイルムユニット２は、前カバー４と後カバー５とが写真フイルムカートリッジ７と例えば２４枚撮りの１３５タイプの写真フイルム８を収納する本体基部１０を覆うように構成されている。
【００１２】
本体基部１０と前カバー４との間には、ストロボ装置１２が組み込まれている。ストロボ装置１２は、ストロボ回路基板１５にストロボ発光部１６を組み付け、メインスイッチ１７にストロボ用操作レバー１９を装着してユニット化したものであり、シンクロスイッチ１８の接触によりストロボ発光部１６が発光するようになっている。
【００１３】
本体基部１０の正面には撮影レンズ２５が設けられている。また、中央部には、撮影レンズ２５から写真フイルム８までの間を遮光する暗箱２６が設けられている。本体基部１０の上部にはシャッタボタン３０、写真フイルムの巻上げノブ３１、カウンタ窓３２が設けられている。撮影枚数表示板は本体基部１０に回動自在に組み込まれており、撮影後のフイルム１コマ巻き上げに連動して１歩進する。また、その都度カウンタ窓１２を通して撮影枚数を確認できるようになっている。巻き上げノブ３１の下には、写真フイルムカートリッジ７を嵌め込み保護するカートリッジ室３５が設けられ、反対側にはフイルムロール室３６が設けられている。本体基部１０と後カバー５との間において、本体基部１０に収められた写真フイルム８を押さえつけるプラスチック製の押さえ板４０が備え付けられている。
【００１４】
図２に示すように、押さえ板４０は、本体基部１０のフイルムカートリッジ室３５とフイルムロール室３６とににフイルムカートリッジ７及び写真フイルム８が装填された後に、その上から装着されるようになっている。本体基部１０と押さえ板４０とによって形成されたフイルム通路において、写真フイルム８はフイルムロール室３６側の入口から入り、フイルムカートリッジ室側の出口から出ていく。押さえ板４０の前面は写真フイルム８と向き合い、後面は後カバー５と対面する。本体基部１０に形成されたアパーチャ４１は背面側にせり出したゆるやかな弧状をしており、押さえ板４０の前面はアパーチャ４１に対応してゆるやかに湾曲している。
【００１５】
アパーチャ４１のフイルムロール室側には、写真フイルム８に設けられたパーフォレーション４２と対面する位置には突起４３が形成されている。この突起４３のフイルムロール室側の側面は、フイルムロール室３６からフイルムカートリッジ室３５に向かって次第にその高さが増加し、フイルムカートリッジ室側の側面は切り立って成形されている。これにより、フイルムロール室３６からフイルムカートリッジ室３５に送られる写真フイルム８はこの突起４３に引っかからないが、フイルムカートリッジ室３５からフイルムロール室３６に送られるときには、写真フイルム８のパーフォレーションが突起４３に引っかかる。
【００１６】
アパーチャ４１の上部には、押さえ板４０を精密に装着させるための支持体４４が形成されている。支持体４４は写真フイルムの給送方向に細長く延びている。アパーチャ４２の左上には押さえ板４０と超音波溶着される固着用突起４５が形成され、右上には固着用突起４６が形成されている。アパーチャ４１の下部にも押さえ板４０を精密に装着するための支持体４７が形成され、写真フイルムの給送方向に細長く延びている。アパ−チャ４２の左下には押さえ板４０と当接して超音波溶着される固着用突起４８が形成され、右下には固着用突起４９が形成されている。押さえ板４０が装着されることにより、写真フイルム８が通るフイルム通路が形成され、アパーチャ４１に露出する写真フイルム８の撓みは制限される。
【００１７】
押さえ板４０が支持体４４、４７に装着された状態のレンズ付きフイルムユニットの断面図を図３および図４に示す。図３は形成されたフイルム通路の断面図であり、図４はアパーチャ部分のフイルム通路の断面図である。写真フイルム８の上部及び下部には、押さえ板４０を支持するための支持体４４と、４７とが形成されており、支持体４４のの先端部には基準面４４ａが形成されている。また、支持体４７の先端部にも基準面４７ａが形成されている。押さえ板４０によってフイルム通路が精密に形成されるようにするために、基準面４４ａと，基準面４７ａとは正確に形成されている。支持体４４の上方には固着用突起４５、４６とが設けられ、固着用突起４５の先端部には先端面４５ａが形成され、固着用突起４６の先端部にも先端面４６ａが形成されている。
【００１８】
押さえ板４０には、支持体４４が嵌め込まれる支持体用スロット５０が形成され、落ち窪んだ部分には基準面４４ａと当接する底面５０ａが形成されている。支持体４７が突き当たって接する支持体用スロット５１も形成されており、その落ち窪んだ部分には底面５１ａが形成されている。。また、固着用突起４５を受け入れるために固着用凹陥部５４が設けられ、窪んだ部分には先端面４５ａと溶着する底面５４ａが形成されている。同様に固着用突起４８を受け入れるために固着用凹陥部５５が設けられている。その窪んだ部分には先端面４８ａと固着する底面５５ａが形成されている。さらに、固着用突起４６を受け入れる固着用凹陥部５６と、固着用突起４９を受け入れる固着用凹陥部５７とが押さえ板４０に形成されている。固着用凹陥部５６には先端面４６ａと固着する底面５６ａが形成され、固着用凹陥部５７にも先端面４９ａと固着する底面５７ａが形成されている。
【００１９】
本体基部１０にに写真フイルム８が装填された後、押さえ板４０が取り付けられる。このとき、押さえ板４０は、基準面４４ａが底面５０ａに当接し、基準面４７ａが底面５１ａに当接するように装着される。そして、固着用突起４５の先端面４５ａが固着用凹陥部５４の底面５４ａに、先端面４８ａが底面５５ａに、先端面４６ａが底面５６ａに、先端面４９ａが底面５７ａに固着され、押さえ板４０が固定される。
【００２０】
次に上記構成の作用について図５を参照しながら簡単に説明する。ユーザが撮影を終了あるいは途中で終了したレンズ付きフイルムユニットは、写真フイルム８を現像するために現像業者に渡される。そこで、写真フイルム８が抜き取られ現像にまわされる。写真フイルム８の抜き取られたレンズ付きフイルムユニットはリサイクル工場へ送られる。
【００２１】
リサイクル工場にまわされたレンズ付きフイルムユニットはリサイクル工程に投入される。前カバー４と、後カバー５とが本体基部１０から取りはずされる。固着されている押さえ板４０が超音波カッターによって本体基部１０から切り離される。ストロボ回路と電池もチェックされる。
【００２２】
電池のチェックが終了すると、新しい写真フイルムが本体基部１０に装填される。写真フイルムが装填された後、押さえ板４０が本体基部１０に装着される。このとき押さえ板４０は、本体基部１０に成形されている支持体４４と、支持体４７とに押さえ板４０の支持体用スロット５０と、支持体用スロット５１とが嵌め合わさり、本体基部に形成された固着用突起の先端面と、押さえ板４０に形成された固着用凹陥部の底面とが固着される。このようにして押さえ板４０が本体基部１０に固定される。
【００２３】
押さえ板４０が本体基部１０に固定された後、押さえ板４０の上から前カバー４と後カバー５とが本体基部１０に装着され、レンズ付きフイルムユニットの完成となる。
【００２４】
メーカー以外の業者がレンズ付きフイルムユニットの写真フイルムのみを詰め替えようとする場合、仮に本体基部１０と押さえ板４０とが形成するフイルム通路に写真フイルムを通しても、突起４３によってフイルムロール室側に写真フイルムを送ることができない。このためにメーカー以外の業者が写真フイルムを不正に装填することはできない。
【００２５】
本実施例では、アパーチャとフイルム室との間にパーフォレーションと係合する突起を形成したが、それ以外の場所に形成してもよい。例えば、アパーチャとフイルムカートリッジ室との間にパーフォレーションと係合する突起を形成し、これにより、写真フイルムを逆方向に給送することを防止することもできる。
【００２６】
また、本実施例では、突起４３を本体基部に形成したが、後カバーにこの突起を形成ししてもよい。この場合もフイルムカートリッジ室側からフイルム室側に写真フイルムが送られるときに、写真フイルムのパーフォレーションが突起に引っかかり、写真フイルムを送ることが禁止される。このためメーカ以外の業者が不正に写真フイルムの詰め替えを行うことを防止することができる。
【００２７】
なお、上記実施例では写真フイルムとして１３５タイプの写真フイルムを用いた例を示したが、本発明はこれに限らずＡＰＳタイプの写真フイルムを装填したレンズ付きフイルムユニットに用いてもよい。
【００２８】
【発明の効果】
以上に述べたように、本発明のレンズ付きフイルムユニットによれば、本体基部と後カバーとの間において、前面が本体基部と固着する押さえ部材を有することにより、フイルム通路を形成することが可能となる。その結果、１コマ巻き上げによってアパーチャに露出されるフイルムの姿勢を正確にすることができる。このため従来のレンズ付きフイルムユニットよりも解像力の高い撮影レンズをレンズ付きフイルムユニットに備え付けることも可能となる。また、押さえ部材を写真フイルムの上から本体基部に固着したことにより、この押さえ部材を本体基部から切り離さなければ新しい写真フイルムを装填することができない。押さえ部材の切り離し方あるいは切り離す部分を知らない第三者は、新しい写真フイルムをレンズ付きフイルムユニットに装填することはできない。このため第三者によるレンズ付きフイルムユニットの不正な詰め替え作業を防止することができる。また、本体基部のフイルム室とフイルムカートリッジ室との間、又は前記本体基部の後側から被さる後カバーの一部に突起を形成したことによって、写真フイルムのパーフォレーションを利用して写真フイルムの動きを規制することができる。これにより、フイルムカートリッジ室からフイルムロール室へ写真フイルムを給送することができなくなり、押さえ部材を取りはずさずに、写真フイルムをフイルムカートリッジ室からフイルムロール室に送って写真フイルム装填することは不可能となる。このため第三者による写真フイルムの不正な詰め替え作業を防止することができる。
【図面の簡単な説明】
【図１】本発明を実施したレンズ付きフイルムユニットの分解斜視図である。
【図２】レンズ付きフイルムユニットの背面の分解斜視図である。
【図３】フイルム通路の断面図である。
【図４】アパーチャ部分の断面図である。
【図５】リサイクル工程を示すフローチャートである。
【符号の説明】
８  写真フイルム
１０  本体基部
４０  押さえ板
４２  アパーチャ
４４  支持体
４５、４６  固着用突起
４７  支持体
４８、４９  固着用突起
５０、５１  支持体用スロット
５４，５５、５６、５７  固着用凹陥部
【図１】
2004177449.tif 000003
【図２】
2004177449.tif 000004
【図３】
2004177449.tif 000005
【図４】
2004177449.tif 000006
【図５】
2004177449.tif 000007